(57)【要約】      （修正有）【課題】襖紙を糊付けする際に使用する作業用台であって、トレーに入れた糊が少なくなっても糊をトレーの片側に寄せることによって、糊に刷毛を十分に浸すことができる作業用台を提供し、さらには、そのトレーを安定的に支持できる作業用台を提供する。【解決手段】パイプ状枠柱２，３により矩形に形成された外枠部１を上部に有し、対向する一対の枠柱の間に１つのパイプ状枠支柱５を架け渡すことによって外枠部１で囲まれた部分をトレーの第１置き所９と第２置き所１０の２つに分割し、少なくとも２本のパイプ状支持支柱８が外枠部１の下方に延在し、前記支持支柱８は枠柱２，３から下方に延びる腕部７を介して枠柱２，３に結合され、該枠柱２，３３から下方に４本の脚部１１，１２が延びており、隣合う一対の脚部１１の高さと、それらの脚部１１と対向する一対の脚部１２の高さが異なる。【選択図】  図２
2004275607.tif 000002
【特許請求の範囲】
【請求項１】
糊を入れるための２つのトレーを置くことができ、パイプ状枠柱により矩形に形成された外枠部を上部に有し、対向する一対の枠柱の間に１つのパイプ状枠支柱を架け渡すことによって外枠部で囲まれた部分をトレーの第１置き所と第２置き所の２つに分割し、少なくとも２本のパイプ状支持支柱が外枠部の下方に延在し、前記支持支柱は枠柱から下方に延びる腕部を介して枠柱に結合され、該枠柱から下方に４本の脚部が延びており、隣合う一対の脚部の高さと、それらの脚部と対向する一対の脚部の高さが異なることを特徴とする襖紙の糊付け作業用台
【請求項２】
一対の低い方の脚部の下端から該脚部と直角をなすはみ出し脚部が延び、両はみ出し脚部は互いに平行に延び且つ対向する長い方の脚部と反対方向に延びている請求項１記載の襖紙の糊付け作業用台
【発明の詳細な説明】
【０００１】
【発明の属する技術分野】
本発明は、主に職人が襖紙を貼るときに使用する糊を入れるトレーを置くための作業用台に関する。
【０００２】
【従来の技術】
職人が襖に襖紙を貼るときは、作業用台の上に糊を入れたトレーを置くのであるが、特に襖紙を貼るときの専用の作業用台はなく、従来の作業用台は木製の天板に脚柱部を取り付けたものを使用している（例えば、特許文献１参照。）。
【０００３】
【特許文献１】
特開２００１−３５３６７３号公報（図１）
【０００４】
【発明が解決しようとする課題】
従来の作業用台は上述したように天板に脚柱部を取り付けた構成であって、これを襖紙を貼る作業に使用するときは、糊を入れたトレーを天板の上に置き、刷毛を用いて襖の糊付けを行なっている。襖紙を襖に貼るときは、襖紙を襖面に貼ると共に襖紙を折り曲げて襖の縁面にも貼るのであるが、襖面に貼るときに用いる糊は薄いものが使用され、縁面に用いる糊は濃いものが使用され、いずれの糊も刷毛で塗るのであるから流動性を有している。
【０００５】
従来の作業用台は天板が水平であるから、その上に糊を入れたトレーを置くと糊はトレーの底に平均して広がる。したがって、糊が少なくなってくると糊の高さが低くなるので刷毛を十分に浸すことができず、刷毛にしみ込んだ糊がすぐになくなるので頻繁に刷毛を糊の中に入れなければならず面倒である。そこで、本発明は、トレーの中の糊が少なくなっても糊をトレーの片側に寄せることによって、糊に刷毛を十分に浸すことができる襖紙の糊付け作業用台を提供することを目的とする。さらには、トレーの中の糊を寄せることができると共にそのトレーを安定的に支持できる作業用台を提供することを目的とする。さらには、作業用台自体を安定させておくことができるものを提供することを目的とする。
【０００６】
【課題を解決するための手段】
本発明の構成は、糊を入れるための２つのトレーを置くことができ、パイプ状枠柱により矩形に形成された外枠部を上部に有し、対向する一対の枠柱の間に１つのパイプ状枠支柱を架け渡すことによって外枠部で囲まれた部分をトレーの第１置き所と第２置き所の２つに分割し、少なくとも２本のパイプ状支持支柱が外枠部の下方に延在し、前記支持支柱は枠柱から下方に延びる腕部を介して枠柱に結合されており、この枠柱から下方に４本の脚部が延びており、隣合う一対の脚部の高さと、それらの脚部と対向する一対の脚部の高さが異なることを特徴とする。
【０００７】
請求項２は、一対の低い方の脚部の下端から該脚部と直角をなすはみ出し脚部が延び、両はみ出し脚部は平行に延び且つ対向する長い方の脚部と反対方向に延びている。
【０００８】
【発明の効果】
本発明は以上の構成であって、請求項１は、枠柱から下方に４本の脚部が延びており、隣合う一対の脚部の高さと、それらの脚部と対向する一対の脚部の高さが異なっている。したがって、トレー置き所に置かれたトレーは斜めに傾くので中に入れてある糊が低い方に自然に集まることになる。これにより、糊が少なくなっても糊はトレーの片側に集まって高さを維持するので、糊の中に刷毛を十分に浸すことができるから、糊を補給する頻度を減らすことができる。
【０００９】
トレーは上端の周囲にフランジを設けることによって、そのフランジを長枠柱、短枠柱あるいは枠支柱で支えることができるから、この場合はトレーの底を支持する必要はない。そして、トレーは枠柱と枠支柱によって四方が囲まれることになるので、傾いたトレーが滑って落ちることを防止できる。また、少なくとも２本の支持支柱が外枠部の下方に延在し、支持支柱は枠柱から下方に延びる腕部を介して枠柱に結合されている。したがって、トレーにフランジを設けない場合、あるいはトレーの置き所よりも小さなトレーを置いたときにその底面が外枠部よりも下方で支持され、トレーは枠柱と枠支柱によって四方が囲まれることになる。これにより、斜めに傾いたトレーは支持支柱上を滑って低い方の枠柱あるいは枠支柱に当り、トレーがトレー置き所から滑り落ちることがない。
【００１０】
さらに、支持支柱はパイプ状であるからトレーとの摩擦力が少なくなり、トレーの置き所よりも小さなトレーを置いたときに、支持支柱上のトレーは円滑に下方に滑って行くので途中で止まることがなく、すぐに作業を始めることができる。それと共に、トレーは途中で止まらないから常に一定の位置に置かれるので作業が楽である。また、トレー置き所はすべてパイプ状の枠柱と枠支柱とで囲まれている。したがって、トレー置き所の開放口の周囲は滑らかな弧状となるので、トレーを開放口から円滑に入れることができる。
【００１１】
請求項２は、一対の低い方の脚部の下端から該脚部と直角をなすはみ出し脚部が延び、両はみ出し脚部は平行に延び且つ対向する長い方の脚部と反対方向に延びている。したがって、傾いてるトレー内の糊が低い方に寄って重心が低い方の脚部に近づき、元々傾いている作業用台がさらに不安定になって低い方へ倒れ易くなっても、はみ出し脚部によって倒れることを防止できる。
【００１２】
【発明の実施の形態】
次に本発明の実施の形態を図面に従って説明する。図２は本発明の斜視図であって、図に示すように全体がプラスチック製のパイプで構成されている。外枠部１は長枠柱２，２と短枠柱３，３を４つのジョイント４で連結することにより構成されている。両長枠柱２，２に枠支柱５が架け渡されジョイント６，６で固定されている。枠支柱５は長枠柱２の中央でなく偏倚した位置に架け渡されており、枠支柱５を取り付けることにより構成されるトレーの第１置き所９は第２置き所１０よりも幅広である。
【００１３】
図１に示すように大きなトレー１８は第１の置き所９に置かれ、小さなトレー１９は第２の置き所に置かれる。それぞれのトレー１８，１９はフランジ２０，２１が設けられており、これらのフランジ２０，２１が長枠柱２と短枠柱３と枠支柱５に支持されてトレー１８，１９は置き所９，１０に置かれる。
【００１４】
両短枠柱３，３にはそれぞれ下向きの腕部７が２つずつ取り付けられており、対向する腕部７，７を結ぶ支持支柱８，８が短枠柱３と直角方向に延びている。支持支柱８，８はトレーの第１置き所９及び第２置き所を構成し、各置き所よりも小さなトレーあるいはフランジを有しないトレーを下から支持する作用をなす。
【００１５】
両短枠柱３，３にはそれぞれ脚部１１，１２が回動可能に取り付けられている。したがって、脚部は折り畳むことができる。脚部１１，１１は脚部１２，１２よりも短く短く形成されており、作業時に両置き所９，１０は傾斜している。脚部１１と脚部１２の下部にはジョイント１５及びＴ形ジョイント１６を結合手段として脚支柱１３，１３が架け渡され脚部１１，１２を補強している。Ｔ形ジョイント１６はその一部が脚支柱１３の延長上に延びて脚部１１からはみ出し、脚部１１の下端から垂直に延びるはみ出し脚部１７，１７を形成している。はみ出し脚部１７は図１に示すように、短い方の脚部１１，１１に形成されている。これは、傾いてるトレー内の糊が低い方に寄って重心が脚部１１に近づき、元々傾いている作業用台がさらに不安定になって低い方へ倒れ易くなっても、はみ出し脚部１７によって倒れることを防止できる。
【００１６】
さらに、同じ高さの脚部１１，１１の間、及び脚部１２，２１の間には着脱自在の固定支柱１４，１４が架け渡されている。固定支柱１４，１４は作業中に脚部１１，１２が回動しないように固定するために取り付けられる。図４に示すように脚部１１，１２を折り畳むときは、あらかじめ固定支柱１４，１４を取り外して行なう。脚部１１，１２の折り畳み方法は、図４に示すように一方の脚部１１，１２は両置き所９，１０の下側に折り畳み、他方の脚部１１，１２は両置き所９，１０の上側に折り畳む。
【００１７】
図１に示すように、小さなトレー１９は長さも短いので第２の置き所１０の高い部分に空所が生じる。大きなトレー１８は薄い糊を入れるためのものである。薄い糊は襖面に塗るので大量に使用するから大きなトレーに入れるのである。小さなトレー１９は濃い糊をいれるためのものである。濃い糊は襖の縁面に塗るのでそれほど多く使用しないから小さなトレーに入れるのである。通常の作業では、作業用台の低い方を手前にして作業をする。なお、本発明はこのような形態に限定されないことは勿論であって、例えば、長枠柱２をさらに長く形成し、短枠柱３をさらに短く形成して外枠部１をさらに横長とし、短枠柱３，３の一方が他方よりも低くなるように構成し、２つのトレー１８，１９を縦方向に直列に並べて置くものであってもよい。
【図面の簡単な説明】
【図１】トレーを置いた本発明の斜視図
【図２】本発明の斜視図
【図３】本発明の側面図
【図４】折り畳んだ状態の正面図
【符号の説明】
１  外枠部
２  長枠柱
３  短枠柱
４  ジョイント
５  枠支柱
６  ジョイント
７  腕部
８  支持支柱
９  第１の置き所
１０  第２の置き所
１１  脚部
１２  脚部
１３  脚支柱
１４  固定支柱
１５  ジョイント
１６  ジョイント
１７  はみ出し脚部
１８  大きなトレー
１９  小さなトレー
２０  フランジ
２１  フランジ
【図１】
2004275607.tif 000003
【図２】
2004275607.tif 000004
【図３】
2004275607.tif 000005
【図４】
2004275607.tif 000006